(57)【要約】【課題】剥離可能な仕切部により２つの薬剤室に区分され、一方の薬剤室に設けられた排出ポートとの連通を阻害する連通阻害部を備える医療用複室容器を仕切部にて２つ折りした状態で被包する包装体とからなる包装済み医療用複室容器において、落下などの衝撃に起因する連通阻害部の剥離を防止する。【解決手段】包装済み医療用複室容器１は、仕切部２４により２室に区分された容器本体２１と、排出ポート２２と、排出ポート２２の連通を阻害する連通阻害部２５とを備える医療用複室容器２と、この医療用複室容器２を仕切部２４にて２つ折りした状態で被包する包装体４とからなる。包装済み医療用複室容器１は、包装体４と医療用複室容器２の連通阻害部２５付近との間に挟まれ、実質的移動が規制された状態にて収納された連通阻害部保護部材３を備える。【選択図】図２
2008245850.tif 000002
【特許請求の範囲】
【請求項１】
可撓性材料により作製され、内部空間が剥離可能な仕切部により第１の薬剤室と第２の薬剤室に区分された容器本体と、前記第１の薬剤室の下端部に設けられた排出ポートと、前記第１の薬剤室に収納された第１の薬剤と、前記第２の薬剤室に収納された第２の薬剤と、前記第１の薬剤室と前記排出ポートとの連通を阻害する剥離可能な連通阻害部とを備える医療用複室容器と、該医療用複室容器を前記仕切部にて２つ折りした状態で被包する包装体とからなる包装済み医療用複室容器であって、
該包装済み医療用複室容器は、前記包装体と前記医療用複室容器の前記連通阻害部付近との間に挟まれ、実質的移動が規制された状態にて収納された連通阻害部保護部材を備えることを特徴とする包装済み医療用複室容器。
【請求項２】
前記連通阻害部は、前記容器本体の前記下端部より前記排出ポートの先端部上方を取り囲むように前記仕切部方向に延びるものである請求項１に記載の包装済み医療用複室容器。
【請求項３】
前記連通阻害部保護部材は、板状部と、該板状部の前記医療用複室容器と向かい合う面に設けられかつ、前記連通阻害部の形状に対応した形状を有する連通阻害部保護用突出部を有するものであり、前記阻害部保護部材は、前記医療用複室容器の前記連通阻害部が、前記連通阻害部保護用突出部上となるように前記包装体内に収納されている請求項１または２に記載の包装済み医療用複室容器。
【請求項４】
前記連通阻害部保護部材の前記板状部は、前記排出ポートが載置される排出ポート載置部を備えている請求項３に記載の包装済み医療用複室容器。
【請求項５】
前記連通阻害部保護部材は、内部に空気が充填され膨満した中空袋状物である請求項１に記載の包装済み医療用複室容器。
【請求項６】
前記連通阻害部保護部材は、前記医療用複室容器の前記連通阻害部が、前記連通阻害部保護部材上となるように前記包装体内に実質的に移動が規制された状態にて収納されている請求項５に記載の包装済み医療用複室容器。
【発明の詳細な説明】
【技術分野】
【０００１】
本発明は、内部にて薬剤の調合を行うことができる医療用複室容器を包装体内に収納した包装済み医療用複室容器に関するものである。
【背景技術】
【０００２】
輸液に際し、２種以上の液体（薬液）を混合して使用する場合がある。この場合、従来では、別途準備した２つの薬液を使用時に混合することにより準備していた。最近では、薬液の投与を速やかなものとすること、ならびに混合忘れなどを防止することより、１つの医療用容器の薬剤室を剥離可能な仕切部により２つの薬剤室に区分し、あらかじめ混合すると経時的に変質、劣化する薬剤を分離して収納したいわゆる複室の医療用容器が使用されるようになってきている。
【０００３】
しかしながら、複室の医療用容器では、薬剤が混合されない状態にて患者に投与されるおそれがある。このため、各収納部に収納されている薬剤を混合した後に患者に投与することを保証する方法が工夫されている。例えば、特開２００２−１３６５７０号公報（特許文献１）のように、薬剤室を剥離可能な仕切部により区分するとともに、さらに、薬剤排出口と薬剤を収納する分室との間を区切る隔壁である排出用弱シール部を備える容器が提案されている。また、本件出願人は、排出ポートの付近に設けられ、第１の薬剤室と排出ポートとの連通を阻害する連通阻害部を備えるものを提案している（特開２００６−０４３０６１号公報：特許文献２）。
そして、このような２つの薬剤室に区分された複室の医療用容器は、例えば、特開２００４−１４９１２４号公報（特許文献３）にあるように、２つの薬剤室に区分する仕切部部分にて２つ折りした状態で包装体内に収納され、提供される。
【特許文献１】特開２００２−１３６５７０号公報
【特許文献２】特開２００６−０４３０６１号公報
【特許文献３】特開２００４−１４９１２４号公報
【発明の開示】
【発明が解決しようとする課題】
【０００４】
そして、特許文献３のものでは、包装箱の最下層に緩衝材が収納されており、その上に二つ折りされかつ包装体に収納された医療用容器が複数積層されている。この特許文献３のものでは、包装箱状態における落下時の衝撃が、上記の緩衝材により吸収される。
しかし、特許文献２のものでは、包装箱より取り出された包装された医療用容器を落下させた場合における緩衝作用を有するものではない。
上述した特許文献１のような排出ポートの付近に設けられ、第１の薬剤室と排出ポートとの連通を阻害する連通阻害部を備え、かつ、仕切部部分にて２つ折りした状態で包装体内に収納された医療用容器にあっては、包装箱より取り出した包装された医療用容器を落下させた場合に、薬剤室内に充填された薬液に付与された衝撃により、連通阻害部が剥離するおそれがあることを、本発明者は知見した。なお、医療用容器の落下時における連通阻害部の剥離は、それを備えない特許文献３のものが知見しうるものではない。
そこで、本発明は、剥離可能な仕切部により区分されるとともに、それぞれに薬剤が収納された第１の薬剤室と第２の薬剤室と、第１の薬剤室と排出ポートとの連通を阻害する剥離可能な連通阻害部とを備える医療用複室容器と、この医療用複室容器を仕切部にて２つ折りした状態で被包する包装体とからなる包装済み医療用複室容器であって、包装済み医療用複室容器に落下などに起因する衝撃が付与されても、連通阻害部の剥離を防止することができる包装済み医療用複室容器を提供するものである。
【課題を解決するための手段】
【０００５】
上記目的を達成するものは、以下のものである。
（１）  可撓性材料により作製され、内部空間が剥離可能な仕切部により第１の薬剤室と第２の薬剤室に区分された容器本体と、前記第１の薬剤室の下端部に設けられた排出ポートと、前記第１の薬剤室に収納された第１の薬剤と、前記第２の薬剤室に収納された第２の薬剤と、前記第１の薬剤室と前記排出ポートとの連通を阻害する剥離可能な連通阻害部とを備える医療用複室容器と、該医療用複室容器を前記仕切部にて２つ折りした状態で被包する包装体とからなる包装済み医療用複室容器であって、
該包装済み医療用複室容器は、前記包装体と前記医療用複室容器の前記連通阻害部付近との間に挟まれ、実質的移動が規制された状態にて収納された連通阻害部保護部材を備える包装済み医療用複室容器。
（２）  前記連通阻害部は、前記容器本体の前記下端部より前記排出ポートの先端部上方を取り囲むように前記仕切部方向に延びるものである上記（１）に記載の包装済み医療用複室容器。
（３）  前記連通阻害部保護部材は、板状部と、該板状部の前記医療用複室容器と向かい合う面に設けられかつ、前記連通阻害部の形状に対応した形状を有する連通阻害部保護用突出部を有するものであり、前記阻害部保護部材は、前記医療用複室容器の前記連通阻害部が、前記連通阻害部保護用突出部上となるように前記包装体内に収納されている上記（１）または（２）に記載の包装済み医療用複室容器。
（４）  前記連通阻害部保護部材の前記板状部は、前記排出ポートが載置される排出ポート載置部を備えている上記（３）に記載の包装済み医療用複室容器。
（５）  前記連通阻害部保護部材は、内部に空気が充填され膨満した中空袋状物である上記（１）に記載の包装済み医療用複室容器。
（６）  前記連通阻害部保護部材は、前記医療用複室容器の前記連通阻害部が、前記連通阻害部保護部材上となるように前記包装体内に実質的に移動が規制された状態にて収納されている上記（５）に記載の包装済み医療用複室容器。
【発明の効果】
【０００６】
本発明の包装済み医療用複室容器では、包装体と医療用複室容器の連通阻害部付近との間に挟まれ、実質的移動が規制された状態にて収納された連通阻害部保護部材を備えている。
このため、包装済み医療用複室容器の落下などによる衝撃が薬剤を収納した薬剤室に付与されても、連通阻害部保護部材によりその衝撃に起因する力が伝達されにくいため、不用意な連通阻害部の剥離が防止される。
【発明を実施するための最良の形態】
【０００７】
以下、本発明の包装済み医療用複室容器について、添付図面を参照して詳細に説明する。
図１は、本発明の実施例の包装済み医療用複室容器の正面図である。図２は、図１のＡ−Ａ線断面図である。図３は、図１に示した包装済み医療用複室容器の包装体の一部を剥離した状態を示す図である。図４は、本発明の包装済み医療用複室容器に使用される医療用複室容器の一例の正面図である。図５は、図４のＢ−Ｂ線断面図である。図６は、図１ないし図３に示した包装済み医療用複室容器に用いられている連通阻害部保護部材の正面図である。図７は、図６に示した連通阻害部保護部材の底面図である。図８は、図６のＣ−Ｃ線断面図である。図９は、本発明の包装済み医療用複室容器を説明するための説明図である。図１０は、本発明の他の実施例の包装済み医療用複室容器を説明するための説明図である。図１１は、図１０のＤ−Ｄ線断面図である。
【０００８】
本発明の包装済み医療用複室容器１は、可撓性材料により作製され、内部空間が剥離可能な仕切部２４により第１の薬剤室２８と第２の薬剤室２９に区分された容器本体２１と、第１の薬剤室２８の下端部に設けられた排出ポート２２と、第１の薬剤室２８に収納された第１の薬剤３８と、第２の薬剤室２９に収納された第２の薬剤３９と、第１の薬剤室２８と排出ポート２２との連通を阻害する剥離可能な連通阻害部２５とを備える医療用複室容器２と、医療用複室容器２を仕切部２４にて２つ折りした状態で被包する包装体４とからなる。そして、包装済み医療用複室容器１は、包装体４と医療用複室容器２の連通阻害部２５付近との間に挟まれ、実質的移動が規制された状態にて収納された連通阻害部保護部材３を備えている。
この実施例の包装済み医療用複室容器１は、包装体４と、包装体４内に収納された医療用複室容器２と、包装体４内に収納されるとともに包装体４と医療用複室容器２の連通阻害部２５付近との間に挟まれ、実質的移動が規制された状態となっている連通阻害部保護部材３とを備える。
【０００９】
医療用複室容器２は、図４および図５に示すように、仕切部２４により仕切られ、かつ薬剤が収納された２つの薬剤室２８，２９を有している。
具体的には、医療用複室容器２は、仕切部２４により仕切られた第１の薬剤室２８および第２の薬剤室２９を有する可撓性材料により形成された容器本体２１と、第１の薬剤室２８に充填された第１の薬液３８と、第２の薬剤室２９に充填された第２の薬液３９と、薬剤室２８と連通可能である排出ポート２２と、薬剤室２８と排出ポート２２間の連通を阻害する剥離可能な連通阻害部２５を備えている。
容器本体２１は、軟質樹脂製シートにより作製されている。容器本体２１は、インフレーション成形法により筒状に成形されたものが好ましい。なお、容器本体２１は、例えば、Ｔダイ法、ブロー成形法、ドライラミネート法、ホットメルトラミネート法、共押出インフレーション法、共押出Ｔダイ法、ホットプレス法等の種々の方法により製造されたものでもよい。そして、容器本体２１は、製造過程において折り曲げられることにより２つの側辺が形成される。また、必要により軽くプレスすることにより、折り曲げられた側辺を形成してもよい。
【００１０】
容器本体２１の形成材料としては、例えば、ポリエチレン（ＰＥ）、ポリプロピレン（ＰＰ）、ポリブタジエン、エチレン−酢酸ビニル共重合体（ＥＶＡ）のようなポリオレフィン、オレフィン系エラストマー、スチレン系エラストマー等の各種熱可塑性エラストマーあるいはこれらを任意に組み合わせたもの（ブレンド樹脂、ポリマーアロイ、積層体等）が挙げられる。そして、使用する樹脂材料は、高圧蒸気滅菌（オートクレーブ滅菌）に耐えられる耐熱性、耐水性を有していることが好ましい。
また、医療用複室容器２の容積は、内部に収納する液体の種類等によって異なるが、通常は、２００〜５０００ｍＬ程度であるのが好ましく、５００〜５０００ｍＬ程度であるのがより好ましい。
また、本発明の実施例の容器本体２１の一端部には一端側シール部２６が設けられ、容器本体２１の他端部には他端側シール部２７が設けられている。また、一端側シール部２６には、吊り下げ用開口が設けられている。容器本体２１の一端側シール部及び他端側シール部は、熱融着（ヒートシール）、高周波融着、超音波融着等により形成されることが好ましく、特に、熱融着により行うことが好ましい。
【００１１】
仕切部２４は、図４および図５に示すように、容器本体２１の内部空間を仕切るように形成された剥離可能な弱シール部である。容器本体２１は、仕切部２４により、第１の薬剤室２８と第２の薬剤室２９とに仕切られている。仕切部２４の剥離強度としては、輸送中に２つ折り梱包形態の容器本体２１に対して加えられる圧力では剥離せず、容器本体２１を手指などで圧迫した（絞った）ときにいずれかの薬剤室中の薬液によって生じる薬剤室内面に対する強い内圧によって剥離する程度であることが好ましい。仕切部２４は、容器本体２１を融着することにより形成されることが好ましい。融着としては、熱融着、高周波融着、超音波融着などであることが好ましい。容器本体２１は、このように仕切部２４に区分された２つの薬剤室２８、２９を有しているため、異なる成分の薬剤を無菌的に容器本体２１内で混合することができる。また、仕切部２４の両端部には、実質的に剥離しない、すなわち、押圧・絞り加圧など、仕切用弱シールに対する通常の連通操作では剥離しない程度のシール強度でシールされた強シール部２４ａを形成してもよい。また、この医療用複室容器では、仕切部２４は、容器本体２１の第２の薬剤室２９が第１の薬剤室２８より内容積が大きくなる位置に形成されている。
【００１２】
仕切部２４は、薬液が充填された第１の薬剤室２８もしくは第２の薬剤室２９を指等で押圧（或いは絞り加圧）することにより剥離可能な程度のシール強度を備える。このように仕切部２４により容器本体２１内を仕切ることにより、反応等による変質、劣化を生じる物質を含有する液体を使用するまでは別々に保存でき、使用に際し、また、使用直前などに両液を混合することが好ましいとき等に適用することができる。このような液体としては、例えば、アミノ酸電解質液とブドウ糖液、ブドウ糖液と重曹液等の組み合わせが挙げられる。
また、医療用複室容器２は、図４および図５に示すように、第１の薬剤室２８と連通する排出ポート２２を備えている。排出ポート２２は、公知のものが使用される。この実施例の医療用複室容器２の排出ポート２２は、図５に示すように、両端側が開口した筒状本体部材２２ａと、筒状本体部材２２ａの露出する開口部を封止するシール部材２２ｂを備えるキャップ部材２２ｃにより構成されている。
【００１３】
連通阻害部２５は、排出ポート２２の上方を取り囲むように形成されている。
そして、医療用複室容器２は、連通阻害部２５を備えており、この実施例では、連通阻害部２５は、剥離可能な連通阻害用シール部により形成されている。具体的には、連通阻害部２５は、容器本体２１の下端部より排出ポート２２の先端部上方を取り囲むように仕切部２４方向に延びるものとなっている。この連通阻害部２５により、第１の薬剤室２８から区画された区画部が形成されている。この区画部は、空き室となっている。しかし、区画部には、所定の液体（例えば、注射用水または生理食塩水）が入れられていてもよい。また、区画部は、乾燥状態でもよいが、滅菌のための微量の液体が充填されていてもよい。連通阻害部２５は、シート材を、剥離可能に熱シール（熱融着、高周波融着、超音波融着）することにより形成することができる。
【００１４】
連通阻害部２５は、仕切部２４の中央部分の下側となる位置に形成されていることが好ましい。このような位置に形成されることにより、第１の薬剤室２８または第２の薬剤室２９を圧迫したとき（例えば押圧したときあるいは絞ったとき）に、上述したように連通阻害部２５が容易に剥離する。
連通阻害部２５は、シート材を帯状に熱シール（熱融着、高周波融着、超音波融着等）することにより剥離可能に形成されている。この連通阻害部２５のシール強度は、仕切部２４のシール強度より大きいものであることが好ましい。このような構成により、容器本体２１の第１の薬剤室２８内の薬剤３８と第２の薬剤室２９内の薬剤３９が混合される前に薬剤が投与されることを防止する。
さらに、この医療用複室容器２では、図４および図５に示すように、第２の薬剤室２９と連通する混注ポート２３を備えている。混注ポートとしては、公知のものが使用され、具体的には、上述した排出ポートと同様の構成のものが好ましい。
【００１５】
そして、上述した医療用複室容器２は、図１および図２に示すように、仕切部２４にて折り曲げることにより、２つに畳まれた状態にて、包装体４内に収納されている。
包装体４は、仕切部２４にて折り畳まれた医療用複室容器２の全体を被包するとともに気密にシールされている。
包装体４としては、遮光性かつ気体難透過性のフィルムからなる密封されたものが用いられる。具体的には、アルミニウム蒸着層またはアルミニウム箔層、シリカ（ＳｉＯ２）蒸着層を有する遮光性でかつ気体難透過性のフィルムからなる包装材が好適である。特に、アルミニウム蒸着層またはアルミニウム箔層を気体難透過性の高分子材料フィルムで挟んだ積層フィルムを用いることが好ましい。気体難透過性の積層フィルムを形成する気体難透過性高分子材料としては、２軸延伸ポリアミド、エチレン−ビニルアルコール系共重合体、ポリエチレンテレフタレートなどのポリエステル、ポリ塩化ビニリデンなどを挙げることができる。
【００１６】
また、積層フィルムの場合、アルミニウム蒸着層またはアルミニウム箔層が積層フィルムの中間層となることが好ましい。積層フィルムは、例えば、気体難透過性高分子材料よりなる１つの層または２層以上を、低融点の樹脂からなる接着剤層（例えばポリエチレンやエチレン−酢酸ビニル共重合体など）を用いて、アルミニウム蒸着層またはアルミニウム箔層と熱融着することによって作製することができる。さらに、積層フィルムの内側となる面に、密封のための低融点樹脂層を設けることが好ましい。この低融点樹脂層は、フィルムの内側全面に設けてもよいが、ヒートシールされる部分もしくはその付近のみに設けてもよい。低融点樹脂層の形成材料としては、いわゆるホットメルト材料が用いられる。具体的には、ポリエチレン（例えば、低分子ポリエチレン）やエチレン−酢酸ビニル共重合体のような低融点樹脂が用いられる。
【００１７】
包装体の具体例としては、例えば、２軸延伸ポリアミド（ＯＰＡ）／ポリエチレン（ＰＥ）／アルミニウム蒸着ポリエチレンテレフタレート（ＰＥＴ）／ポリエチレン（ＰＥ）よりなる層構造を有する積層フィルム、ＯＰＡ／ＰＥ／アルミニウム箔／ＰＥ／ＰＥよりなる層構造を有する積層フィルム、ＯＰＡ／ＰＥ／アルミニウム箔／ＰＥ／ＰＥＴ／ＰＥよりなる層構造を有する積層フィルム、ＰＥＴ／ＰＥ／アルミニウム蒸着ＰＥＴ／ＰＥ／エチレン−酢酸ビニル共重合体（ＥＶＡ）／ＰＥよりなる層構造を有する積層フィルム、ポリ塩化ビニリデン／ＰＥ／アルミニウム蒸着ＰＥＴ／ＰＥよりなる層構造を有する積層フィルム、ＰＥＴ／アルミニウム蒸着エチレン−ビニルアルコール共重合体（ＥＶＯＨ）／ＰＥよりなる層構造を有する積層フィルムなどを挙げることができる。
【００１８】
また、本発明で使用される包装材に使用される気体難透過性フィルムは、酸素透過量が、２３℃、９０％ＲＨ、１０１ｋＰａ（１気圧）で測定したときに１．０ｍＬ／ｍ2・ｄａｙ以下であることが好ましく、０．６０ｍＬ／ｍ2・ｄａｙ以下であることがより好ましい。また、気体難透過性フィルムにおけるアルミニウム蒸着層またはアルミニウム箔層の厚さは、アルミニウム蒸着層の場合は０．０５〜１．５μｍ、アルミニウム箔層の場合は５〜１５μｍであることが好ましい。
そして、包装体４は、医療用複室容器を収納した後、開口部がヒートシールされることにより、密封される。この実施例の包装体では、包装体の周縁部全体がヒートシールされたシール部４１を備えている。包装体４は、医療用複室容器とともに脱酸素剤を収納したものであっても良い。
【００１９】
そして、本発明の包装済み医療用複室容器１は、包装体４内に収納されるとともに包装体４と医療用複室容器２の連通阻害部２５付近との間に挟まれ、実質的移動が規制された状態となっている連通阻害部保護部材３とを備える。
特に、この実施例の包装済み医療用複室容器１では、連通阻害部保護部材３は、包装体４の内面に固定されている。
そして、この実施例の包装済み医療用複室容器１に用いられている連通阻害部保護部材３は、図２、図６ないし図９に示すように、板状部３１と、板状部３１の医療用複室容器２と向かい合う面に設けられ、かつ、連通阻害部２５の形状に対応した形状を有する連通阻害部保護用突出部３２を備えている。そして、図２および図９に示すように、阻害部保護部材３は、医療用複室容器２の連通阻害部２５が、連通阻害部保護用突出部３２の上となるように包装体４内に収納されている。
【００２０】
連通阻害部保護部材３は、図１および図３に示すように、連通阻害部２５の形成部付近上を載置可能であるとともに、図１ないし図３に示すように、排出ポート２２上をも載置可能な大きさおよび形状のものとなっている。このため、落下時に排出ポートへの衝撃を緩衝する機能を発揮する。
連通阻害部保護部材３の板状部３１は、図２、図６ないし図９に示すように、排出ポート２２が載置可能であるとともに、排出ポートから連通阻害部２５の形成部部位までを下方より支持可能な形状および大きさのものとなっている。そして、この実施例の連通阻害部保護部材３では、板状部３１の一端側に排出ポート載置部を備え、他端側周縁部に連通阻害部保護用突出部３２を備えている。連通阻害部保護用突出部３２は、板状部３１より突出する連続リブ状のものとなっている。そして、この実施例では、連通阻害部保護用突出部３２は、連通阻害部２５の形状に対応するとともに、連通阻害部２５より延び容器本体のシール部２７上に到達するものとなっている。さらに、連通阻害部保護用突出部３２は、容器本体と接触する可能性のある上端角部が面取りされている。また、連通阻害部保護用突出部３２は、上端に向かって肉薄となるように形成されている。
なお、連通阻害部保護用突出部としては、上記のような連続するものが好ましいが、点在する複数の突出部により構成してもよい。
【００２１】
また、板状部３１より突出する連通阻害部保護用突出部３５の形態は、図１７に示す連通阻害部保護部材３ｂのようなものであってもよい。この実施例における連通阻害部保護用突出部３５は、薄板状であり、板状部３１より上方に延びる側壁部３５ａと、側壁部の端部より屈曲し、板状部３１に対してほぼ平行に所定長延びる上壁部３５ｂを備えている。上壁部３５ｂの長さ（幅）は、連通阻害部２５の幅とほぼ同じもしくは若干大きいまたは若干小さいものであることが好ましい。このような形態とすることにより、連通阻害部保護用突出部３５は、湾曲可能であり、包装済み医療用複室容器１に衝撃が付加された場合その緩和作用を発揮する。
【００２２】
さらに、連通阻害部保護部材は、図１０および図１１に示す連通阻害部保護部材３ａのように、板状部３１の排出ポート載置部上に設けられた排出ポート保持部３３を備えていてもよい。この実施例の連通阻害部保護部材３ａにおける排出ポート保持部３３は、板状部３１より突出するリブにより形成されており、排出ポート保持部３３の上面には、排出ポートを保持する凹部が形成されている。特に、この実施例の排出ポート保持部３３は、排出ポート２２の筒状本体部材２２ａを下から支えることにより保持するものとなっている。
連通阻害部保護部材の形成材料としては、軟質、硬質、半硬質などどのようなものでもよいが、半硬質もしくは軟質のものが好ましい。連通阻害部保護部材の形成材料としては、具体的には、ポリエチレン、ポリプロピレン、エチレン−プロピレン共重合体、エチレン−酢酸ビニル共重合体、架橋型エチレン−酢酸ビニル共重合体等のポリオレフィン、ポリエステル、ポリ塩化ビニル、ポリウレタン、ポリアミドなどの可撓性高分子材料、ポリアミドエラストマー、ポリエステルエラストマー等の熱可塑性樹脂（熱可塑性エラストマー）、天然ゴム、イソプレンゴム、シリコーンゴム、ブタジエンゴム、スチレン−ブタジエンゴムのような各種ゴム材料等の弾性材料などが使用できる。
【００２３】
次に、本発明の他の実施例の包装済み医療用複室容器について説明する。
図１２は、本発明の他の実施例の包装済み医療用複室容器の正面図である。図１３は、図１２のＥ−Ｅ線断面図である。図１４は、図１２に示した包装済み医療用複室容器の包装体の一部を剥離した状態を示す図である。図１５は、図１２ないし図１４に示した包装済み医療用複室容器に用いられている連通阻害部保護部材の正面図である。図１６は、図１５に示した連通阻害部保護部材の平面図である。
この実施例の包装済み医療用複室容器１０と上述した包装済み医療用複室容器１との相違は、連通阻害部保護部材のみであり、連通阻害部保護部材についてのみ説明するものとし、その他については、同一に符号を付し、上述した説明を参照するものとする。
【００２４】
この実施例の包装済み医療用複室容器１０は、包装体４と、包装体４内に収納された医療用複室容器２と、包装体４内に収納されるとともに包装体４と医療用複室容器２の連通阻害部２５付近との間に挟まれ、実質的移動が規制された状態となっている連通阻害部保護部材５とを備える。
なお、この実施例における医療用複室容器２では、連通阻害部２５により囲まれた部分は、膨らんでいない状態となっており、連通阻害部保護部材５により、実質的に押圧されないものとなっている。よって、連通阻害部保護部材５により、連通阻害部２５が押し広げられることはない。
【００２５】
そして、この実施例の包装済み医療用複室容器１０においても、連通阻害部保護部材５は、包装体４の内面に固定されていてもよい。この実施例の包装済み医療用複室容器１０において用いられている連通阻害部保護部材５は、図１３および図１６に示すように、内部に空気が充填され膨満した中空袋状物である。連通阻害部保護部材５は、可撓性フィルムにより袋状に形成されるとともに、その内部に空気が充填されることにより、膨満した状態となっている。そして、この通阻害部保護部材５は、包装体４内に収納されるとともに包装体４と医療用複室容器２の連通阻害部２５付近との間に挟まれた状態となっており、図１３に示すように、両者間に押圧されることにより、変形している。そして、この連通阻害部保護部材５は、図１２ないし図１４に示すように、連通阻害部２５の形成部付近上を載置可能であるとともに、排出ポート２２の容器本体２１内に延びる端部部分上をも載置可能な大きさおよび形状のものとなっている。このため、落下時に排出ポートへの衝撃を緩衝する機能を発揮する。
【００２６】
中空袋状物である連通阻害部保護部材５の形成材料としては、包装体４の材料として説明したものが好適に使用できるが、ポリエチレンなどの安価でシート厚を薄くすることで柔軟となる材料であれば十分である。また、中空袋状物である連通阻害部保護部材５の膨満の程度としては、包装体４と医療用複室容器２に押圧されることにより、変形可能であることが好ましく、許容充填量の４０〜９０％程度であることが好ましく、特に、５０〜８０％程度が好適である。なお、この実施例における連通阻害部保護部材５は、内部に空気が充填されたチューブ状物５１の両端をシール部５２にてシールしたものとなっている。なお、連通阻害部保護部材５は、積層した２枚のシートの周縁部をシールすることにより形成したものであってもよい。
【図面の簡単な説明】
【００２７】
【図１】図１は、本発明の実施例の包装済み医療用複室容器の正面図である。
【図２】図２は、図１のＡ−Ａ線断面図である。
【図３】図３は、図１に示した包装済み医療用複室容器の包装体の一部を剥離した状態を示す図である。
【図４】図４は、本発明の包装済み医療用複室容器に使用される医療用複室容器の一例の正面図である。
【図５】図５は、図４のＢ−Ｂ線断面図である。
【図６】図６は、図１ないし図３に示した包装済み医療用複室容器に用いられている連通阻害部保護部材の正面図である。
【図７】図７は、図６に示した連通阻害部保護部材の底面図である。
【図８】図８は、図６のＣ−Ｃ線断面図である。
【図９】図９は、本発明の包装済み医療用複室容器を説明するための説明図である。
【図１０】図１０は、本発明の他の実施例の包装済み医療用複室容器を説明するための説明図である。
【図１１】図１１は、図１０のＤ−Ｄ線断面図である。
【図１２】図１２は、本発明の他の実施例の包装済み医療用複室容器の正面図である。
【図１３】図１３は、図１２のＥ−Ｅ線断面図である。
【図１４】図１４は、図１２に示した包装済み医療用複室容器の包装体の一部を剥離した状態を示す図である。
【図１５】図１５は、図１２ないし図１４に示した包装済み医療用複室容器に用いられている連通阻害部保護部材の正面図である。
【図１６】図１６は、図１５に示した連通阻害部保護部材の平面図である。
【図１７】図１７は、本発明の包装済み医療用複室容器に使用される他の例の連通阻害部保護部材の断面図である。
【符号の説明】
【００２８】
１  包装済み医療用複室容器
２  医療用複室容器
３  連通阻害部保護部材
４  包装体
【図１】
2008245850.tif 000003
【図２】
2008245850.tif 000004
【図３】
2008245850.tif 000005
【図４】
2008245850.tif 000006
【図５】
2008245850.tif 000007
【図６】
2008245850.tif 000008
【図７】
2008245850.tif 000009
【図８】
2008245850.tif 000010
【図９】
2008245850.tif 000011
【図１０】
2008245850.tif 000012
【図１１】
2008245850.tif 000013
【図１２】
2008245850.tif 000014
【図１３】
2008245850.tif 000015
【図１４】
2008245850.tif 000016
【図１５】
2008245850.tif 000017
【図１６】
2008245850.tif 000018
【図１７】
2008245850.tif 000019